(57)【要約】      （修正有）【課題】一方の側壁又は他方の側壁に土手部に対するヒンジ結合をなくし、組立時から折畳み時を経るいつの段階においても、一方の側壁に対して他方の側壁をあらかじめ係合してスライドする構造を有し、部品点数が少なく、かつ一度に折り畳み又は組立ができる折畳みコンテナを提供する。【解決手段】底部１０１と、底部１０１の一方の相対する土手部１０２、１０３にヒンジ連結１０４された一方の相対する側壁１０５、１０６と、底部１０１の他方の相対する側壁１０７，１０８とからなる折り畳みコンテナ１００において、一方の側壁１０５，１０６と一方の土手部１０２、１０３には、それぞれ互いに連結し、同一側の端部において、深さ方向に延びかつ組立時において他方の側壁１０７，１０８の側面と互いに対向してなる第１案内溝と第２案内溝を有し、当該他方の側壁１０７，１０８の上端部の側面に前記第１案内溝又前記第２案内溝と係合する係合突起を有する。【選択図】図１
2013147287.tif 000002
【特許請求の範囲】
【請求項１】
底部と、底部の一方の相対する土手部にヒンジ連結された一方の相対する側壁と、底部の他方の相対する側壁とからなる折り畳みコンテナにおいて、
一方の側壁と一方の土手部には、それぞれ互いに連結し、同一側の端部において、深さ方向に延びかつ組立時において他方の側壁の側面と互いに対向してなる第１案内溝と第２案内溝を有し、当該他方の側壁の上端部の側面に前記第１案内溝又前記第２案内溝と係合し且つスライドする係合突起を有することを特徴とする折畳みコンテナ。
【請求項２】
折畳み時において、他方の側壁の下部を、上記係合突起を軸にして内側に倒しながら回動可能にし、かつ上記係合突起を前記第１案内溝から前記第２案内溝にスライドさせて折畳み、そして一方の側壁を一方の土手部に対してヒンジ連結で折り畳む構成とした請求項１記載の折畳みコンテナ。
【請求項３】
前記係合突起が、前記第１案内溝又は第２案内溝にスライドする棒部と、棒部の先端部に有し前記第１案内溝又は第２案内溝に係合する頭部からなる請求項１又は２記載の折畳みコンテナ。
【請求項４】
前記一方の土手部の側面には、他方の側壁に対する邪魔板が設けられている請求項１〜３のいずれかの項に記載の折畳みコンテナ。
【請求項５】
前記他方の側壁は下端部に凹部が切欠いて設けられ、この凹部に係合する鉤部が底部の上面に設けられている請求項１〜４のいずれかの項に記載の折畳みコンテナ。
【請求項６】
前記他方の側壁は上端部に凹部が切欠いて設けられ、この凹部と一致する凹部が底部に切欠いて設けられている請求項１〜５のいずれかの項に記載の折畳みコンテナ。
【発明の詳細な説明】
【技術分野】
【０００１】
本発明は、折畳みコンテナの改良に関する。
【背景技術】
【０００２】
従来の折畳みコンテナは、底部と、底部の一方の相対する土手部にヒンジ連結された一方の相対する側壁と、底部の他方の相対する土手部にヒンジ連結された他方の相対する側壁からなり、底部に対して略垂直に側壁を立てることにより、箱型に組み立てられ、また、底部の上に重なるように側壁を倒すことにより、折り畳むように構成されていた（特許文献１）。
【０００３】
【特許文献１】特開２０１１-５１６２８
【特許文献２】特開２００７−７６６５５
【０００４】
しかし、従来の折畳みコンテナは、一方の側壁及び他方の側壁の両者とも土手部に対してヒンジ連結の構造をとらざるを得ず、また組立時において一方の側壁と他方の側壁とを上部で互いに連結するために、一方又は他方の側壁の上部に係合部材を別に設けて相互に係合する構造をとらざるを得なかった(特許文献１、特許文献２等)。
【発明の開示】
【発明が解決しようとする課題】
【０００５】
本発明の目的は、一方の側壁又は他方の側壁に土手部に対するヒンジ結合をなくし、組立時は勿論、組立時から折畳み時を経るいつの段階においても、一方の側壁に対して他方の側壁をあらかじめ係合してスライドする構造を有し、部品点数が少なく、かつ一度に折り畳み又は組立ができる折畳みコンテナを提供するところにある。
【課題を解決するための手段】
【０００６】
本発明は鋭意検討した結果、本発明は、底部と、底部の一方の相対する土手部にヒンジ連結された一方の相対する側壁と、底部の他方の相対する側壁とからなる折り畳みコンテナにおいて、
一方の側壁と一方の土手部には、それぞれ互いに連結し、同一側の端部において、深さ方向に延びかつ組立時において他方の側壁の側面と互いに対向してなる第１案内溝と第２案内溝を有し、当該他方の側壁の上端部の側面に前記第１案内溝又前記第２案内溝と係合し且つスライドする係合突起を有していることを特徴とする折畳みコンテナを採用した。
【０００７】
折畳み時において、他方の側壁の下部を、上記係合突起を軸にして内側に倒しながら回動可能にし、かつ上記係合突起を前記第１案内溝から前記第２案内溝にスライドさせて折畳み、そして一方の側壁を一方の土手部に対してヒンジ連結で折り畳む構成とした。
【０００８】
なお、前記一方の土手部の側面には、他方の側壁に対する邪魔板が設けられていても差支えない。また前記他方の側壁は下端部に凹部が切欠いて設けられ、この凹部に係合する鉤部が底部の上面に設けられていてもよい。前記他方の側壁は上端部に凹部が切欠いて設けられ、この凹部と一致する凹部が底部に切欠いて設けることも可能である。
【発明の効果】
【０００９】
従って、他方の相対する側壁は、土手部に対するヒンジ結合がなく、組立時は勿論、組立時から折畳み時を経るいつの段階においても、一方の側壁に対して他方の側壁をあらかじめ係合してスライドする構造を有していることから、部品点数が少なく、かつ一度に折り畳み又は組立ができる折畳みコンテナが提供できた。
【図面の簡単な説明】
【００１０】
【図１】本発明に係る折畳みコンテナの一実施態様を示す一方側からの上側概略斜視図である。
【図２】同他方側からの上側概略斜視図である。
【図３】同一方側からの背面側概略斜視図である。
【図４】同組立時における一方の側壁と土手部を示す部分拡大概略正面図である。
【図５】同組立時における一方の側壁を下側方向から上側方向を示している部分拡大概略斜視図である。
【００１１】
【図６】同他方の側壁の下部をわずかに内側に倒し、第１案内溝の上側に係合突起をスライドさせた概略斜視図である。
【図７】同第１案内溝の真中辺りに係合突起をスライドさせた部分拡大概略正面図である。
【図８】同他方の側壁の下部をわずかに内側に倒し、第１案内溝の上側に係合突起をスライドさせた概略平面図である。
【図９】同他方の側壁の下部を水平に倒し、第１案内溝の下側に係合突起をスライドさせた概略斜視図である。
【図１０】同第１案内溝の第２連結溝との連結部分に係合突起をスライドさせた部分拡大概略正面図である。
【００１２】
【図１１】同第２連結溝に係合突起をスライドさせた概略斜視図である。
【図１２】同一方の側壁を立ち上がらせかつ他方の側壁を折り畳んだ状態を示す概略斜視図である。
【図１３】同一方の側壁を折り畳んでいる状態を示す概略斜視図である。
【図１４】同一方の側壁を折り畳んだ状態であって第１案内溝と第２案内溝付近の状態を示す部分拡大概略平面図である。
【図１５】同第２案内溝に他方の側壁の係合突起が移動確定した状態の部分拡大概略斜視図である。
【図１６】同一方及び他方とも両者折り畳んだ状態を示す概略側面図である。
【発明を実施するための最良の形態】
【００１３】
以下、図面を用いて説明するが、本発明は図面で示した態様に限られるものではない。
【００１４】
図１は本発明に係る折畳みコンテナの一実施態様を示す一方側からの上側概略斜視図である。図２は同他方側からの上側概略斜視図である。図３は同一方側からの背面側概略斜視図である。
図において、１００は折畳みコンテナで、底部１０１と、底部１０１の一方の相対する土手部１０２、１０３にヒンジ連結１０４された一方の相対する側壁（長側壁）１０５、１０６と、土手部がなくヒンジ連結もされていないところの、底部１０１の他方の相対する側壁（短側壁）１０７、１０８とからなっている。以下、側壁（短側壁）１０７と側壁（長側壁）１０５との関係は、側壁（短側壁）１０７と側壁（長側壁）１０６との関係、側壁（長側壁）１０６と側壁（短側壁）１０８との関係又は側壁（短側壁）１０８と側壁（短側壁）１０７との関係において同じである。
【００１５】
図４、図５、図６及び図７において、一方の側壁１０５と一方の土手部１０２には、それぞれ互いに連結し、同一側の端部１０９、１１０において、深さ方向Ｄに延びかつ他方の側壁１０７の側面１１１と組立時において互いに対向してなる第１案内溝１１２と第２案内溝１１３を有している。また当該他方の側壁１０７の上端部１１４の側面１１５には前記第１案内溝１１２又前記第２案内溝１１３と係合し且つスライドする係合突起１１６を有している。
【００１６】
従って、前記コンテナを折り畳む際には、図８に示すように、他方の側壁１０７の下端部１０７ａを、上記係合突起１１６を軸にして内側に倒しながら回動可能にし、そして図９に示すように、他方の側壁１０７の両上端部１１４に位置する上記係合突起１１６を深さ方向Ｄに前記第１案内溝１１２と係合しながら前記第１案内溝１１２内をスライドさせて移動し、図１０に示すように第１案内溝１１２と第２案内溝１１３とが連結している境界部１１７付近まで下方向に移動し、さらに同境界部１１７を越えて下方向に移動し、図１１及び図１２に示すように第２案内溝１１３に移った段階で、図１３に示すように一方の側壁１０５を一方の土手部１０２に対してヒンジ連結１０４で折り畳むことができるので可能となる。なお、図１３、図１４及び図１５に示すように、１０７ａは第１案内溝１１２の境界部１１７の端面、１０７ｂは第２案内溝１１３の境界部１１７の端面であり、第１案内部１１２と第２案内溝１１３が連結しているときは、端面１１７ａ、１１７ｂ同士が連結し、第２案内溝１１３に対して第１案内部１１２が折り畳まれて分離しているときは端面１１７ａ、１１７ｂが分離している。図１６は折り畳まれた状態を示す概略側面図である。
【００１７】
なお、前記係合突起１１６は、格別限定されるものではないが、図３及び図１４のように、本実施形態のごとく前記第１案内溝１１２又は第２案内溝１１３にスライドする棒部１１６ａと、棒部１１６ａの先端部に有し前記第１案内溝１１２又は第２案内溝１１３に係合する頭部１１６ｂからなる構成が好ましい。
【００１８】
また前記一方の土手部１０２の側面１０２ａには、図２及び図６に示すように、他方の側壁１０７が上端部１１４だけで係合されており、かつ他方の側壁１０７の下端部１０７ａがフリーの状態になっていることから、これ以上いかないように、他方の側壁１０７の下端部１０７ａに対する三角形の邪魔板１０２ｂを設けることが好ましい。
【００１９】
また前記他方の側壁１０７は同理由から図２、図６、図８及び図９に示すように、下端部１０７ａに凹部１０７ｂが切欠いて設けられ、この凹部１０７ｂに係合する鉤部１０１ｂが底部１０１の上面１０１ａに設けられている。
【００２０】
前記他方の側壁１０７には、図２、図８、図９、図１２、図１３、図１６に示すように、上端部１１４に凹部１０７ｃが切欠いて設けられており、この凹部１０７ｃを用いて、前記他方の側壁１０７を、上記係合突起１１６を軸にして内側に倒しながら回動しやすく、あるいはまた前記第１案内溝１１２と係合しながら前記第１案内溝１１２内をスライドさせて移動させやすくしている。そして、図さらに凹部１０７ｃを取り出しやすくするために、この凹部１０７ｃと一致する凹部１０１ｃが底部１０１に切欠いて設けられている。
【産業上の利用可能性】
【００２１】
本発明は、折畳みコンテナに幅広く利用できる。
【符号の説明】
【００２２】
１００            折畳みコンテナ
１０１            底部
１０２            土手部
１０４            ヒンジ連結
１０５            側壁
１０７            側壁
１１２            第１案内溝
１１３            第２案内溝
１１６            係合突起
【図１】
2013147287.tif 000003
【図２】
2013147287.tif 000004
【図３】
2013147287.tif 000005
【図４】
2013147287.tif 000006
【図５】
2013147287.tif 000007
【図６】
2013147287.tif 000008
【図７】
2013147287.tif 000009
【図８】
2013147287.tif 000010
【図９】
2013147287.tif 000011
【図１０】
2013147287.tif 000012
【図１１】
2013147287.tif 000013
【図１２】
2013147287.tif 000014
【図１３】
2013147287.tif 000015
【図１４】
2013147287.tif 000016
【図１５】
2013147287.tif 000017
【図１６】
2013147287.tif 000018